【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
閉ループ焦点ポジショニングシステムであって、該システムは、
焦点深度位置にレーザビームの焦点を合わせるための焦点合わせアセンブリと、
該焦点合わせアセンブリの位置を決定するためのフィードバックポジショニングデバイスと、
該フィードバックポジショニングデバイスと内部接続されているコンピュータプロセッサであって、該焦点合わせアセンブリの移動を指示することに適応し、該フィードバックポジショニングデバイスから該焦点合わせアセンブリの位置を受信することに適応した該コンピュータプロセッサとを含み、
該フィードバックポジショニングデバイスは、該焦点合わせアセンブリの直線運動を読み取ることに適応し、該プロセッサは、該焦点合わせアセンブリの直線運動に基づいて、該焦点深度位置が所定の範囲内であるかを決定することに適応した、閉ループ焦点ポジショニングシステム。
【請求項２】
前記フィードバックポジショニングデバイスは、リニアエンコーダ、回転エンコーダ、干渉エンコーダ、光学エンコーダ、リゾルバ、Ｈｅｉｄｅｎｈｅｉｍ定規、角エンコーダ、デジタル長ゲージシステム、位相デバイス、磁気ストリップリーダならびにトランデューサから選択されたグループの１つである、請求項１に記載のシステム。
【請求項３】
前記焦点合わせアセンブリが移動可能ズームレンズである、請求項１に記載のシステム。
【請求項４】
前記移動可能焦点合わせアセンブリに動力を供給するために前記コンピュータプロセッサからの電気信号をアナログ電圧ソースに変換するためのデジタル／アナログコンバータをさらに含む、請求項１に記載のシステム。
【請求項５】
前記移動可能焦点合わせアセンブリを介して方向付けられるレーザビームを発生させるためのレーザ源をさらに含む、請求項１に記載のシステム。
【請求項６】
オペレータに視覚的な警告を提供するための視覚的ディスプレイをさらに含む、請求項１に記載のシステム。
【請求項７】
オペレータに可聴式警告を提供するためのオーディオデバイスをさらに含む、請求項１に記載のシステム。
【請求項８】
閉ループ焦点ポジショニングシステムであって、該システムは、
レーザビームを発生させるためのレーザ源と、
焦点深度位置に該レーザビームの焦点を合わせるための移動可能焦点合わせアセンブリと、
該焦点合わせアセンブリの位置を決定するためのフィードバックポジショニングデバイスと、
該フィードバックポジショニングデバイスと内部接続されているコンピュータプロセッサであって、該移動可動焦点合わせアセンブリの移動を指示することに適応し、該フィードバックポジショニングデバイスから該焦点合わせアセンブリの位置を受信することに適応したコンピュータプロセッサとを含み、
該フィードバックポジショニングデバイスは、該焦点合わせアセンブリの直線運動を読み取ることに適応し、該プロセッサは、該焦点合わせアセンブリの直線運動に基づいて、該焦点深度位置が所定の範囲内であるかを決定することに適応した、閉ループ焦点ポジショニングシステム。
【請求項９】
前記移動可能焦点合わせアセンブリに動力を供給するために前記コンピュータプロセッサからの電気信号をアナログ電圧ソースに変換するためのデジタル／アナログコンバータをさらに含む、請求項８に記載のシステム。
【請求項１０】
オペレータに視覚的な警告を提供するための視覚的ディスプレイをさらに含む、請求項８に記載のシステム。
【請求項１１】
オペレータに可聴式警告を提供するためのオーディオデバイスをさらに含む、請求項８に記載のシステム。
【請求項１２】
前記フィードバックポジショニングデバイスは、リニアエンコーダ、回転エンコーダ、干渉エンコーダ、光学エンコーダ、リゾルバ、Ｈｅｉｄｅｎｈｅｉｍ定規、角エンコーダ、デジタル長ゲージシステム、位相デバイス、磁気ストリップリーダならびにトランデューサから選択されたグループの１つである、請求項８に記載のシステム。
【請求項１３】
前記移動可能な焦点合わせアセンブリが移動可能ズームレンズである、請求項８に記載のシステム。
【請求項１４】
閉ループ焦点ポジショニングシステムであって、該システムは、
レーザビームを発生させるためのレーザ源と、
焦点深度位置に該レーザビームの焦点を合わせるためのガルボモータ付き焦点合わせアセンブリと、
該焦点合わせアセンブリの位置を決定するためのリニアエンコーダと、
該リニアエンコーダと内部接続されているコンピュータプロセッサであって、該移動可能焦点合わせアセンブリの移動を指示することに適応し、該リニアエンコーダから焦点合わせアセンブリの位置を受信することに適応したコンピュータプロセッサとを含み、
該リニアエンコーダが、該焦点合わせアセンブリの直線運動を読み取ることに適応し、該プロセッサが、該焦点合わせアセンブリの直線運動に基づいて、該焦点深度位置が所定の範囲内にあるかを判定することに適応した、閉ループ焦点ポジショニングシステム。
【請求項１５】
閉ループ焦点ポジショニングシステムであって、該システムは、
レーザビームを発生させるためのレーザ源と、
該レーザビームに焦点を合わせるためのガルボモータ付き焦点合わせアセンブリと、
該焦点合わせアセンブリの位置を決定するためのリニアエンコーダと、
該リニアエンコーダと内部接続されているコンピュータプロセッサであって、該プロセッサは、該移動可能焦点合わせアセンブリの移動を指示することに適応し、該リニアエンコーダから焦点合わせアセンブリの位置を受信することに適応した、コンピュータプロセッサとを含み、
該レーザ源が、赤外線超短波のパルスレーザである、閉ループ焦点ポジショニングシステム。
【請求項１６】
レーザの焦点を合わせるための焦点合わせアセンブリのポジショニング方法であって、該方法は、
第１の値に基づいた所望の位置へ焦点合わせアセンブリを移動するステップと、
該焦点合わせアセンブリの実際の直線運動の第２の値を決定するステップと、
該第１の値と第２の値とを比較するステップと、
焦点深度に該焦点合わせアセンブリの運動を相関させるステップと
を含有する、方法。
【請求項１７】
第１の値に基づいた所望の位置へ焦点合わせアセンブリを移動するステップは、
レーザビームの所望の焦点深度のソフトウェアプログラムによって受信するステップと、
値に基づいた位置への焦点深度の値のコンバートするステップと、
値に基づいた該位置へ移動するために該焦点合わせアセンブリを方向付けるステップを含有する、請求項１６に記載の方法。
【請求項１８】
前記焦点合わせアセンブリの実際の直線運動の第２の値を決定するステップが、
該焦点合わせアセンブリの実際の位置を読取るためにフィードバックポジショニングデバイスの利用するステップを含有する、請求項１６に記載の方法。
【請求項１９】
前記第１の値と第２の値とを比較する前記ステップが、
該第１の値と該第２の値との間の差異を判定するステップと、
該差異が許容範囲外まで降下した場合に、そのような指示を提供するステップと
を含有する、請求項１６に記載の方法。
【請求項２０】
前記第１の値と前記第２の値との間の前記差異が許容範囲外まで降下した場合に前記レーザビームの起動を妨げるステップをさらに含む請求項１９に記載の方法。
【請求項２１】
前記焦点合わせアセンブリの移動用のモータに電流を発生させるためのステップをさらに含有する、請求項１６に記載の方法。
【請求項２２】
前記第１の値と前記第２の値との間の前記差異が許容範囲外まで降下したことの可聴式および／または視覚的警告を提供するステップをさらに含有する、請求項１６に記載の方法。
【請求項２３】
レーザの焦点を合わせるための焦点合わせアセンブリのポジショニング方法であって、該方法は、
光崩壊（ｐｈｏｔｏｄｉｓｒｕｐｔｉｏｎ）あるいは眼球構造の切除のための所望のレーザ焦点深度の値を識別するステップと、
該所望のレーザ焦点深度の値への該焦点合わせアセンブリのポジショニングのためのモータ付き焦点合わせアセンブリへ電流を発生させるステップと、
該焦点合わせアセンブリの実際の直線運動の値を決定するステップと、
該所望のレーザ焦点深度の値と該実際の直線運動の値との間の差異を計算するステップと、
前記差異が許容範囲外まで降下した場合に可聴式および／または視覚的警告を提供するステップと
を含有する、方法。
【請求項２４】
前記差異が前記許容範囲外まで降下した場合にレーザの起動を妨げるステップをさらに含有する、請求項２３に記載の方法。
【請求項２５】
内部にコンピュータ可読プログラムコードが組み込まれたコンピュータ利用可能媒体であって、コンピュータに
第１の値に基づいた所望の位置に焦点合わせアセンブリを指示するステップと、
該焦点合わせアセンブリの実際の直線運動の第２の値を決定するステップと、
該第１の値と第２の値とを比較するステップと、
焦点深度に該焦点合わせアセンブリの運動を相関させるステップと
を実行させる、コンピュータ利用可能媒体。
【請求項２６】
前記内部に組み込まれたコンピュータ可読プログラムコードは、コンピュータにさらに
前記第１の値と前記第２の値との間の差異を判定するステップと、
該差異が許容範囲外まで降下した場合に、そのような指示を提供するステップと
を実行させる、請求項２５に記載のコンピュータ利用可能媒体。
【請求項２７】
前記内部に組み込まれたコンピュータ可読プログラムコードは、コンピュータにさらに
前記第１の値と前記第２の値との間の前記差異が許容範囲外まで降下した場合に、可聴式および／または視覚的警告を提供するステップを実行させる、請求項２６に記載のコンピュータ利用可能媒体。
【請求項２８】
前記内部に組み込まれたコンピュータ可読プログラムコードは、コンピュータにさらに
前記焦点合わせアセンブリの移動用のモータに電流の発生を導くステップを実行させる、請求項２５に記載のコンピュータ利用可能媒体。
【請求項２９】
前記レーザ源が赤外線超短波パルスレーザである、請求項１に記載の閉ループシステム。
【請求項３０】
前記レーザ源が赤外線超短波パルスレーザである、請求項１４に記載の閉ループシステム。